(57)【特許請求の範囲】
【請求項１】
プラグとソケットを有し、誤挿入防止のために、前記プラグ又は前記ソケットの一方に周方向に離間して複数の突起部を設け、他方に前記複数の突起部が嵌る複数の溝部を設けたコネクタにおいて、
前記複数の溝部の組を周方向にずらして複数設けたことを特徴とするコネクタ。
【請求項２】
請求項１記載のコネクタの複数からなるコネクタセットであって、
第一のコネクタのプラグ又はソケットの一方に設けられた複数の突起部の位置パターンを、残余のコネクタのプラグ又はソケットの一方に設けられた複数の突起部の位置パターンとは違えておき、
かつ、前記第一のコネクタの前記プラグ又は前記ソケットの他方に設けられる前記複数の溝部の組の複数を、前記残余のコネクタの前記プラグ又は前記ソケットに設けられた複数の突起部が嵌らないように、任意の複数の溝部の位置パターンが前記残余のコネクタの前記プラグ又は前記ソケットに設けられた複数の突起部の位置パターンと一致しないように配置したことを特徴とするコネクタセット。
【発明の詳細な説明】
【技術分野】
【０００１】
本発明は、誤挿入防止機構を備えたコネクタおよびコネクタセットに関する。
【背景技術】
【０００２】
電源装置等に電力を供給するケーブル等を接続する際、プラグインコネクタが用いられる場合がある。プラグインコネクタは、例えばケーブルが接続されたピンプラグ等のプラグをレセプタクルやソケットプラグ等のソケットに挿入して接続するものである。
【０００３】
特許文献１、２には、プラグのソケットへの誤挿入防止を目的として、プラグまたはソケットに、周方向に沿って離間して配置されたキーの一組を設けるとともに、ソケットまたはプラグに、当該キーの一組と対応するように、周方向にキー溝の一組を配置した例が記載されている。
【０００４】
プラグをソケットに挿入する際は、当該キーの一組の位置をソケットに設けられたキー溝の一組の位置にあわせて挿入する。これにより、キーおよびキー溝のパターンが合った場合にのみ、プラグのソケットへの挿入を可能としている。
【先行技術文献】
【特許文献】
【０００５】
【特許文献１】特開平０４−２５９７６９号公報
【特許文献２】特開２０００−２０８２０９号公報
【発明の概要】
【発明が解決しようとする課題】
【０００６】
しかしながら、このような例では、コネクタにおいて、プラグをソケットに挿入する際、キーとキー溝との位置を合わせるために、プラグを大きく回転させる場合がある。このとき、プラグに接続されたケーブル等が大きくねじれた状態となる。ケーブルを大きくねじることは、ケーブルの負担を大きくし、劣化につながることになり、好ましくない。
【０００７】
本発明は、前述した問題点に鑑みてなされたもので、誤挿入が防止されるとともに、プラグをソケットに挿入する際にプラグ等を大きく回転させる必要がないコネクタ等を提供することを目的とする。
【課題を解決するための手段】
【０００８】
前述した目的を達するための第１の発明は、プラグとソケットを有し、誤挿入防止のために、前記プラグ又は前記ソケットの一方に周方向に離間して複数の突起部を設け、他方に前記複数の突起部が嵌る複数の溝部を設けたコネクタにおいて、前記複数の溝部の組を周方向にずらして複数設けたことを特徴とするコネクタである。
【０００９】
第１の発明のコネクタでは、プラグ又はソケットに溝部の組を複数設けたので、プラグをソケットに挿入するとき、プラグをソケットに対し相対的に回転させて、複数の角度で挿入できるようになる。すなわち、プラグのソケットに対する周方向角度が溝部の組の数だけ許容される。よって、この誤挿入防止機構型コネクタは、挿入時に、プラグ等に接続されているケーブルをねじる角度を小さくでき、ケーブルへの負担が少ない利点がある。
【００１０】
前述した目的を達するための第２の発明は、請求項１記載のコネクタの複数からなるコネクタセットであって、第一のコネクタのプラグ又はソケットの一方に設けられた複数の突起部の位置パターンを、残余のコネクタのプラグ又はソケットの一方に設けられた複数の突起部の位置パターンとは違えておき、かつ、前記第一のコネクタの前記プラグ又は前記ソケットの他方に設けられる前記複数の溝部の組の複数を、前記残余のコネクタの前記プラグ又は前記ソケットに設けられた複数の突起部が嵌らないように、任意の複数の溝部の位置パターンが前記残余のコネクタの前記プラグ又は前記ソケットに設けられた複数の突起部の位置パターンと一致しないように配置したことを特徴とするコネクタセットである。
【００１１】
第２の発明のコネクタセットでは、第一のコネクタのソケット等に設けられる溝部の複数組を、残余のコネクタのプラグ等に設けられた突起部が嵌らないように配置したので、第１の発明のコネクタの効果、すなわち、プラグをソケットに挿入する際に複数の角度で挿入可能な構成を維持しつつ、誤挿入防止が可能になる。
【００１２】
第２の発明のコネクタセットにおいては、例えば、次のパターン１〜４の中からパターンを複数選択して、各コネクタのプラグ又はソケットにおける突起部の数、隣接突起部間角度、溝部の数、隣接溝部間角度を決めることができる。
パターン１：突起部の数  ２個、隣接突起部間角度  １８０°、溝部の数  １０個、隣接溝部間角度  ４０°、３０°、４０°、４０°、３０°、４０°、３０°、４０°、４０°、３０°
パターン２：突起部の数  ３個、隣接突起部間角度  １２０°、溝部の数  ６個、隣接溝部間角度  ７５°、４５°、７５°、４５°、７５°、４５°
パターン３：突起部の数  ２個、隣接突起部間角度  ９０°、溝部の数  ８個、隣接溝部間角度  ３０°、４０°、５０°、４０°、７０°、４０°、５０°、４０°
パターン４：突起部の数  ２個、隣接突起部間角度  ６０°、溝部の数  ６個、隣接溝部間角度  ８０°、６０°、５０°、６０°、５０°、６０°
【００１３】
また、次のパターン１〜４の中からパターンを複数選択して、各コネクタのプラグ又はソケットにおける突起部の数、隣接突起部間角度、溝部の数、隣接溝部間角度を決めることもできる。
パターン１：突起部の数  ２個、隣接突起部間角度  １８０°、溝部の数  ４個、隣接溝部間角度  ７５°、１０５°、７５°、１０５°
パターン２：突起部の数  ３個、隣接突起部間角度  １２０°、溝部の数  ６個、隣接溝部間角度  ７５°、４５°、７５°、４５°、７５°、４５°
パターン３：突起部の数  ２個、隣接突起部間角度  ９０°、溝部の数  ４個、隣接溝部間角度  ７５°、９０°、１０５°、９０°
パターン４：突起部の数  ２個、隣接突起部間角度  ６０°、溝部の数  ４個、隣接溝部間角度  １０５°、６０°、１３５°、６０°
【００１４】
加えて、次のパターン１〜４の中からパターンを複数選択して、各コネクタのプラグ又はソケットにおける突起部の数、隣接突起部間角度、溝部の数、隣接溝部間角度を決めることもできる。
パターン１：突起部の数  ２個、隣接突起部間角度  １８０°、溝部の数  ８個、隣接溝部間角度  ４５°、３０°、７５°、３０°、４５°、３０°、７５°、３０°
パターン２：突起部の数  ３個、隣接突起部間角度  １２０°、溝部の数  ６個、隣接溝部間角度  ７５°、４５°、７５°、４５°、７５°、４５°
パターン３：突起部の数  ２個、隣接突起部間角度  ９０°、溝部の数  ６個、隣接溝部間角度  ７０°、９０°、７０°、４０°、５０°、４０°
パターン４：突起部の数  ２個、隣接突起部間角度  ６０°、溝部の数  ６個、隣接溝部間角度  ８０°、６０°、５０°、６０°、５０°、６０°
【００１５】
さらに、次のパターン１〜４の中からパターンを複数選択して、各コネクタのプラグ又はソケットにおける突起部の数、隣接突起部間角度、溝部の数、隣接溝部間角度を決めることもできる。
パターン１：突起部の数  ２個、隣接突起部間角度  １８０°、溝部の数  １０個、隣接溝部間角度  ３７°、３３°、３０°、５０°、３０°、３７°、３３°、３０°、５０°、３０°
パターン２：突起部の数  ３個、隣接突起部間角度  １２０°、溝部の数  ９個、隣接溝部間角度  ４３°、３３°、４４°、４３°、３３°、４４°、４３°、３３°、４４°
パターン３：突起部の数  ２個、隣接突起部間角度  ９０°、溝部の数  １０個、隣接溝部間角度  ５０°、２８°、３９°、２３°、２８°、３９°、３０°、３３°、５７°、３３°
パターン４：突起部の数  ２個、隣接突起部間角度  ６０°、溝部の数  ８個、隣接溝部間角度  ２８°、６０°、２８°、６０°、３６°、６０°、２８°、６０°
【００１６】
かかる構成のコネクタセットは、第一のコネクタのプラグ又はソケットと、残余のコネクタのソケット又はプラグとの間で、複数の突起部の位置パターンが、任意の複数の溝部の位置パターンに合致することがない。従って、第一のコネクタのプラグ又はソケットと、他のコネクタのソケット又はプラグを相対的に回転させても、突起部が溝部に嵌らず、プラグがソケットに挿入されることがない。さらに、第一のコネクタにおける任意の複数の溝部の位置パターンは、残余のコネクタにおける複数の突起部の位置パターンから、少なくとも一つの溝部が常に所定の角度ずれるようになっているので、無理やり挿し込むなどしたときに、突起部の変形等により強引に挿入されることが抑制され、誤挿入防止を確実なものとしている。
【発明の効果】
【００１７】
本発明により、誤挿入を防止できるとともに、プラグをソケットに挿入する際にプラグ等を大きく回転させる必要がないコネクタ等を提供することができる。
【図面の簡単な説明】
【００１８】
【図１】ピンプラグ１０とレセプタクル２０の接続を示す図
【図２】ピンプラグ１０とレセプタクル２０を接続したプラグインコネクタ１を示す図
【図３】ピンプラグキー突起部１５とキー溝部２８の嵌合を示す図
【図４】ピンプラグ１０とソケットプラグ３０の接続を示す図
【図５】ピンプラグ１０とソケットプラグ３０を接続したプラグインコネクタ２を示す図
【図６】ピンプラグキー突起部１５とキー溝部３５の嵌合を示す図
【図７】ピンプラグキー突起部１５について示す図
【図８】ピンプラグキー突起部１５とキー溝部２８のパターンについて示す図
【図９】ピンプラグキー突起部１５とキー溝部２８のパターンについて示す図
【図１０】ピンプラグキー突起部１５とキー溝部２８のパターンについて示す図
【図１１】ピンプラグキー突起部１５とキー溝部２８のパターンについて示す図
【発明を実施するための形態】
【００１９】
以下、図面を参照しながら、本発明のコネクタ等の実施形態について説明する。
まず、図１から図３を参照して、第１の実施形態のコネクタについて説明する。
【００２０】
図１、図２に示すように、コネクタであるプラグインコネクタ１は、プラグであるピンプラグ１０とソケットであるレセプタクル２０からなり、ピンプラグ１０をレセプタクル２０に挿入することで接続される。本実施形態のプラグインコネクタ１は、大電流用のプラグインコネクタであり、レセプタクル２０が図示されていない筐体等に取り付けられる、いわゆるパネルマウントタイプのものである。
【００２１】
ピンプラグ１０は、ピン１１、ピンキャップ１２、スプリングピン１３、ピンカバー本体１４、ピンプラグキー突起部１５、カバーナット１６、接続完了位置溝１７、カバーキャップ１８等により構成される。
【００２２】
ピン１１は一本設けられており、その挿入側の端部は略円柱状に形成されている。
なお、挿入側とは、ピンプラグ１０を構成する各部材についてはピンプラグ１０をレセプタクル２０に挿入する際にレセプタクル２０に向かう側を指し、レセプタクル２０を構成する各部材についてはピンプラグ１０をレセプタクル２０に挿入する際にピンプラグ１０に向かう側を指すものとする。ピンプラグ１０をソケットプラグ３０に挿入するプラグインコネクタの例についても後ほど説明するが、その際の挿入側についても同様である。
【００２３】
ピン１１の挿入側の先端には、頭部１２ａと軸部１２ｂを有するピンキャップ１２が、その軸部１２ｂをピン１１の軸方向に挿入するようにして設けられている。なお、ピンキャップ１２はピン１１の挿入側の端部およびピンキャップ１２の軸部１２ｂを貫通するように設けられたスプリングピン１３により固定される。
【００２４】
また、ピン１１において、挿入側と逆側の端部では、ピン１１に電線ケーブル４０が圧着され接続される。
【００２５】
ピンカバー本体１４は、略円筒状の形状を有し、ピン１１の軸方向の周囲に設けられる。ピンカバー本体１４の挿入側の端部の外周面には、ピンプラグキー突起部１５が設けられる。ピンプラグキー突起部１５は、図７（ａ）に示すように、ピンカバー本体１４の周方向に沿って１８０°離間して２つ設けられている。これら２個のピンプラグキー突起部１５は一組をなしている。ただし、ピンプラグキー突起部１５の一組を構成するピンプラグキー突起部１５の数や、その離間角度等の位置パターンは、ピンプラグキー突起部１５を複数設ける限りにおいて、上記したものに限ることはない。
【００２６】
カバーナット１６は、略円筒状の形状を有し、ピンカバー本体１４の軸方向の周囲に、挿入側の端部で内周面をピンカバー本体１４と隔てるように設けられる。当該内周面には雌ねじが切られている。
【００２７】
カバーキャップ１８は、略円筒状の形状を有し、ピン１１の挿入側と逆側の端部で、ピン１１および電線ケーブル４０の軸方向の周囲に設けられる。
【００２８】
レセプタクル２０は、ソケット２１、バンドコンタクト２２、ソケットキャップ２３、ボルト２４、ナット２５、ワッシャー２６、ソケットカバー本体２７、キー溝部２８、取付部２９等により構成され、取付部２９を介して図示されていない筐体等に取り付けられる。
【００２９】
ソケット２１において、挿入側の端部は円筒状に形成されている。ソケット２１の挿入側の端部の内周面には、前記ピン１１との接触を確実にするためのバンドコンタクト２２が設けられている。ソケット２１の挿入側の先端には、ソケットキャップ２３が設けられている。また、ソケット２１の挿入側と逆側の端部はボルト２４と連続しており、ボルト２４にはナット２５やワッシャー２６を用いて図示されていないブスバー等が取り付けられる。
【００３０】
ソケットカバー本体２７は、略円筒状の形状を有し、ソケット２１の軸方向の周囲に、挿入側の端部で内周面をソケット２１と隔てるようにして設けられる。ソケット２１とソケットカバー本体２７との間には、前記ピンプラグ１０のピンカバー本体１４が挿入されるようになっている。そして、当該ソケットカバー本体２７の内周面にはキー溝部２８が複数設けられる。このキー溝部２８は前記ピンプラグ１０のピンプラグキー突起部１５が嵌合可能な溝である。
【００３１】
また、ソケットカバー本体２７の挿入側の端部の外周面には、前記ピンプラグ１０のカバーナット１６の内周面の雌ねじと螺合する雄ねじが設けられている。
【００３２】
図３は、ピンプラグ１０とレセプタクル２０の接続時の、ピンプラグキー突起部１５とキー溝部２８との嵌合を示す図であり、図３（ａ）は図２の線Ａ−Ａにおける断面図、図３（ｂ）はピンプラグ１０とレセプタクル２０との接続を上からみた図である。なお、図３（ａ）において、ピン１１やソケット２１等の図示は省略している。
【００３３】
図３（ａ）に示すように、本実施形態では、キー溝部２８は、ソケットカバー２７の内周面の周方向に沿って、ピンプラグキー突起部１５の一組が嵌るように１８０°で離間させて２つ設けたキー溝部２８の一組を、周方向の角度をずらして２８ａ〜２８ｅの５組配置する。ピンプラグ１０をレセプタクル２０に接続した際には、ピンプラグキー突起部１５の一組が、キー溝部２８のいずれか一組（図３（ａ）では２８ａ）と嵌合する。
【００３４】
ただし、キー溝部２８の一組を構成するキー溝部２８の数や、その離間角度等の位置パターンは、ピンプラグキー突起部１５の一組の位置パターンと対応するように定めるもので、これに限ることはない。また、キー溝部２８の組を周方向にずらして設ける数も、複数設ける限りにおいて、上記したものに限ることはない。
【００３５】
また、図３（ｂ）に示すように、ピンプラグ１０のピンカバー本体１４の外周面、レセプタクル２０のソケットカバー本体２７の外周面には、上記の嵌合を行う際の位置決めの目安となる位置決めマーク４１、４２（４２ａ〜４２ｅ）がそれぞれ形成されている。ソケットカバー本体２７に形成される複数の位置決めマーク４２ａ〜４２ｅは、上記のキー溝部２８の組２８ａ〜２８ｅにそれぞれ対応するもので、ピンカバー本体１４の位置決めマーク４１の位置をソケットカバー本体２７の位置決めマーク４２ａ〜４２ｅのいずれかに合わせつつ、ピンプラグ１０をレセプタクル２０に挿入することで、ピンプラグキー突起部１５とキー溝部２８の位置を合わせて容易に嵌合させることができる。
【００３６】
前記取付部２９は、ソケットカバー本体２７の外周面に設けられる、ねじ等を用いて図示されていない筐体等にレセプタクル２０を取り付けるための板状の部材である。
【００３７】
ピンプラグ１０をレセプタクル２０に接続する際には、ピンカバー本体１４の外周面に設けられたピンプラグキー突起部１５の一組の位置をソケットカバー本体２７の内周面に設けられたキー溝部２８のいずれか一組の位置にあわせ、ピンプラグキー突起部１５をキー溝部２８に沿ってガイドさせつつ、ピン１１をソケット２１の内周面に沿って挿入する。すると、ピン１１がソケット２１のバンドコンタクト２２に接触し両者間で通電が可能な状態となる。カバーナット１６を回転させて内周面の雌ねじをソケットカバー本体２７の外周面に設けられた雄ねじと螺合させるとピンプラグ１０がレセプタクル２０に固定され、外れないようになる。なお、このとき接続完了位置溝１７が見える状態となっている。このように、接続完了位置溝１７は、ピンプラグ１０とレセプタクル２０との接続状態を視覚的に確認する役割を果たす。
【００３８】
この実施形態のコネクタでは、レセプタクル２０にキー溝部２８の組を周方向の角度をずらして２８ａ〜２８ｅの５組設けたので、５つの角度でピンプラグ１０をレセプタクル２０に挿入できる。よって、挿入時に、ピンプラグ１０とレセプタクル２０の角度がずれることがあっても、ピンプラグ１０を若干まわすだけで挿入できるから、接続時の電線ケーブル４０のねじれを低減でき、ケーブルへの負担を軽減できる利点がある。
【００３９】
次に、第２の実施形態のコネクタについて説明する。
【００４０】
図４、図５に示すように、この実施形態のコネクタであるプラグインコネクタ２はプラグであるピンプラグ１０とソケットであるソケットプラグ３０からなり、ピンプラグ１０をソケットプラグ３０に挿入することで接続される。本実施形態のプラグインコネクタ２は、大電流用のプラグインコネクタであり、電線ケーブル５０が接続されたソケットプラグ３０にピンプラグ１０を接続する、いわゆるインラインタイプのものである。
【００４１】
ピンプラグ１０については、第１の実施形態と略同一の構成を有するので、図等には同じ符号を付し、説明を省略する。
【００４２】
ソケットプラグ３０は、ソケット３１、バンドコンタクト３２、ソケットキャップ３３、ソケットカバー本体３４、キー溝部３５、カバーキャップ３６等により構成される。
【００４３】
ソケット３１において、挿入側の端部は略円筒状に形成されている。ソケット３１の挿入側の端部の内周面には、前記ピン１１との接触を確実にするためのバンドコンタクト３２が設けられている。ソケット３１の挿入側の先端には、ソケットキャップ３３が設けられている。また、ソケット３１の挿入側と逆側の端部には電線ケーブル５０が圧着され接続されている。
【００４４】
ソケットカバー本体３４は、略円筒状の形状を有し、ソケット３１の軸方向の周囲に、挿入側の端部で内周面をソケット３１と隔てるようにして設けられる。ソケット３１とソケットカバー本体３４との間には、前記ピンプラグ１０のピンカバー本体１４が挿入されるようになっている。そして、当該ソケットカバー本体３４の内周面にはキー溝部３５が設けられる。このキー溝部３５は前記ピンプラグ１０のピンプラグキー突起部１５が嵌合可能な溝である。
【００４５】
また、ソケットカバー本体３４の挿入側の端部の外周面には、前記ピンプラグ１０のカバーナット１６の内周面の雌ねじと螺合する雄ねじが設けられている。
【００４６】
図６は、ピンプラグ１０とソケットプラグ３０の接続時の、ピンプラグキー突起部１５とキー溝部３５との嵌合を示す図であり、図６（ａ）は図５の線Ｂ−Ｂにおける断面図、図６（ｂ）はピンプラグ１０とソケットプラグ３０との接続を上からみた図である。なお、図６（ａ）において、ピン１１やソケット３１等の図示は省略している。
【００４７】
図６（ａ）に示すように、本実施形態でも、キー溝部３５は、ソケットカバー本体３４の内周面の周方向に沿って、ピンプラグキー突起部１５の一組が嵌るように１８０°で離間させて２つ設けたキー溝部３５の一組を、周方向の角度をずらして３５ａ〜３５ｅの５組配置する。ピンプラグ１０をソケットプラグ３０に接続した際には、ピンプラグキー突起部１５の一組が、キー溝部３５のいずれか一組（図６（ａ）では３５ａ）と嵌合する。
【００４８】
ただし、キー溝部３５の一組を構成するキー溝部３５の数や、その離間角度等の位置パターンは、ピンプラグキー突起部１５の一組の位置パターンと対応するように定めるもので、これに限ることはない。また、キー溝部３５の組を周方向にずらして設ける数も、複数設ける限りにおいて、上記したものに限ることはない。
【００４９】
また、本実施形態でも、図６（ｂ）に示すように、ソケットプラグ３０のソケットカバー本体３４の外周面には上記の嵌合を行う際の位置決めの目安となる位置決めマーク４３（４３ａ〜４３ｅ）が形成されている。ソケットカバー本体３４に形成される複数の位置決めマーク４３ａ〜４３ｅは、上記のキー溝部３５の組３５ａ〜３５ｅにそれぞれ対応するもので、ピンカバー本体１４の位置決めマーク４１の位置をソケットカバー本体３４の位置決めマーク４３ａ〜４３ｅのいずれかに合わせつつ、ピンプラグ１０をソケットプラグ３０に挿入することで、ピンプラグキー突起部１５とキー溝部３５の位置を合わせて容易に嵌合させることができる。
【００５０】
前記カバーキャップ３６は、略円筒状の形状を有し、ソケット３１の挿入側と逆側の端部で、ソケット３１および電線ケーブル５０の軸方向の周囲を覆うように設けられる。
【００５１】
ピンプラグ１０をソケットプラグ３０に接続する際には、ピンカバー本体１４の外周面に設けられたピンプラグキー突起部１５の一組の位置をソケットカバー本体３４の内周面に設けられたキー溝部３５のいずれか一組の位置にあわせ、ピンプラグキー突起部１５をキー溝部３５に沿ってガイドさせつつ、ピン１１をソケット３１の内周面に沿って挿入する。すると、ピン１１がソケット３１のバンドコンタクト３２に接触し両者間で通電が可能な状態となる。カバーナット１６を回転させて内周面の雌ねじをソケットカバー本体３４の外周面に設けられた雄ねじと螺合させるとピンプラグ１０がソケットプラグ３０に固定され、外れないようになる。なお、第１の実施形態と同様、このとき接続完了位置溝１７が見える状態となる。
【００５２】
この実施形態のコネクタでも、前述の第１の実施形態のコネクタと同様の接続時のケーブルのねじれ低減という作用効果が奏される。
【００５３】
なお、前述の実施形態では、図７（ａ）で示すようなピンプラグキー突起部１５をピンカバー本体１４の外周面に沿って１８０°の離間角度で設けた２つで一組とするものを説明したが、ピンプラグキー突起部１５の配置はこれに限らない。
例えば、ピンプラグキー突起部１５を、図７（ｂ）で示すように、１２０°の離間角度で３つ設け、これら３つで一組としてもよいし、図７（ｃ）で示すように、９０°の離間角度で設けた２つで一組とするものであってもよく、図７（ｄ）で示すように、６０°の離間角度で設けた２つで一組とするものであってもよい。このように、ピンプラグキー突起部１５を設ける数やその離間角度等の位置パターンは適宜定めることができる。レセプタクル２０やソケットプラグ３０においては、この位置パターンに対応する位置パターンを有するキー溝部２８（３５）の組を周方向にずらしつつ複数配置するように、キー溝部２８（３５）を複数設ければよい。
【００５４】
次に、本願発明のコネクタセットの一実施形態を説明する。
なお、以降、コネクタセットの説明をピンプラグ１０とレセプタクル２０によるプラグインコネクタ１を例として行うが、ピンプラグ１０とソケットプラグ３０によるプラグインコネクタ２の場合でも同様である。
【００５５】
この実施形態のコネクタセットは、４つのプラグインコネクタ１で構成されている。個々のプラグインコネクタ１について、ピンプラグ１０のピンプラグキー突起部１５と、レセプタクル２０のキー溝部２８の配置パターンの組み合わせを示したものが図８であり、個々のプラグインコネクタ１のピンプラグキー突起部１５とキー溝部２８の組み合わせが、各図の（ａ）〜（ｄ）で示した４つのパターンから選択される。各図の左側はピンプラグキー突起部１５を、右側はキー溝部２８を示している。各プラグインコネクタ１のピンプラグ１０、レセプタクル２０について、ピンプラグキー突起部１５、キー溝部２８以外の構成は前述したものと同様であるので説明を省略する。
【００５６】
複数のプラグインコネクタ１で構成するコネクタセットでは、一のプラグインコネクタ１におけるレセプタクル２０のキー溝部２８を、他のプラグインコネクタ１におけるピンプラグ１０のピンプラグキー突起部１５が、嵌らないように配置する。
【００５７】
即ち、レセプタクル２０には、ピンプラグキー突起部１５の一組の位置パターンに対応する位置パターンを有するキー溝部２８の一組のみを設けるのではなく、これを周方向にずらし回転させ複数設けている。従って、第一のプラグインコネクタ１のレセプタクル２０に設けた複数のキー溝部２８のうち任意のものの組み合わせがなす位置パターンが、別のプラグインコネクタ１のピンプラグ１０に設けたピンプラグキー突起部１５の位置パターンと一致し、別のプラグインコネクタ１のピンプラグ１０が第一のプラグインコネクタ１のレセプタクル２０に嵌る可能性が生じる。これに対し、本コネクタセットは、これを避けるように、各プラグインコネクタ１相互におけるレセプタクル２０のキー溝部２８の位置、およびピンプラグ１０のピンプラグキー突起部１５の位置パターンを定めている。
【００５８】
この実施形態のコネクタセットに設けた、ピンプラグキー突起部１５とキー溝部２８の配置パターンの組み合わせを、図８に従って説明する。
図８（ａ）に示すパターン１では、ピンプラグ１０のピンプラグキー突起部１５の数が２個、隣接するピンプラグキー突起部１５の間の角度（隣接突起部間角度）が１８０°であり、レセプタクル２０のキー溝部２８の数が１０個、隣り合うキー溝部２８の間の角度（隣接溝部間角度）が、それぞれ４０°、３０°、４０°、４０°、３０°、４０°、３０°、４０°、４０°、３０°である。
【００５９】
図８（ｂ）に示すパターン２では、ピンプラグキー突起部１５の数が３個、隣接突起部間角度が１２０°であり、キー溝部２８の数が６個、隣接溝部間角度が、それぞれ７５°、４５°、７５°、４５°、７５°、４５°である。
【００６０】
図８（ｃ）に示すパターン３では、ピンプラグキー突起部１５の数が２個、隣接突起部間角度が９０°であり、キー溝部２８の数が８個、隣接溝部間角度が、それぞれ３０°、４０°、５０°、４０°、７０°、４０°、５０°、４０°である。
【００６１】
図８（ｄ）に示すパターン４では、ピンプラグキー突起部１５の数が２個、隣接突起部間角度が６０°であり、キー溝部２８の数が６個、隣接溝部間角度が、それぞれ８０°、６０°、５０°、６０°、５０°、６０°である。
【００６２】
図８に示すパターン１から４では、各パターンのプラグインコネクタ１において、レセプタクル２０の任意の複数のキー溝部２８が形成する位置パターンが、異なるパターンのプラグインコネクタ１におけるピンプラグ１０のピンプラグキー突起部１５の位置パターンとは一致しないようにしてあり、さらに、常に少なくとも一つのピンプラグキー突起部１５が、キー溝部２８から１０°以上ずれるようになっている。
【００６３】
以上説明したように、プラグインコネクタ１においては、誤挿入を防止するために、ピンプラグ１０にピンプラグキー突起部１５の組を設けるとともに、レセプタクル２０にピンプラグキー突起部１５が嵌るキー溝部２８の組を設ける。さらに、キー溝部２８の組を周方向にずらして複数設けたので、ピンプラグ１０をレセプタクル２０に挿入するとき、これらを相対的に回転させて、複数の角度で挿入できるようになる。よって、この誤挿入防止機構型コネクタは、挿入時に、プラグ等に接続されているケーブルをねじる角度を小さくでき、ケーブルへの負担が少ない利点がある。レセプタクル２０をソケットプラグ３０とした場合でも同様である。
【００６４】
そして、プラグインコネクタ１の複数によるコネクタセットでは、一のプラグインコネクタ１のレセプタクル２０に設けられるキー溝部２８の複数組を、他のプラグインコネクタ１のピンプラグ１０に設けられたピンプラグキー突起部１５が嵌らないように配置したので、上記したコネクタの効果、すなわち、プラグをソケットに挿入する際に複数の角度で挿入可能な構成を維持しつつ、誤挿入防止が可能になる。
【００６５】
例えば、コネクタセットの各プラグインコネクタ１におけるピンプラグキー突起部１５とキー溝部２８の配置の組み合わせを図８に示すパターンから選択することで、一のプラグインコネクタ１のピンプラグ１０を、他のプラグインコネクタ１のレセプタクル２０に対して回転させても、ピンプラグキー突起部１５の位置パターンが、任意の複数のキー溝部２８の位置パターンに合致することがない。さらに、この任意の複数のキー溝部２８の位置パターンは、上記のピンプラグキー突起部１５の位置パターンから、少なくとも一つのキー溝部２８が常に所定の角度ずれるようになっているので、無理やり挿し込むなどしたときに、突起部の変形等により強引に挿入されることが抑制され、誤挿入防止を確実なものとしている。
【００６６】
前述の実施形態では、４個のプラグインコネクタ１によるコネクタセットを説明したが、コネクタセットはこれに限らず、コネクタセットを構成するプラグインコネクタの数は２個、３個等、４個以外の数でも良い。この場合、例えば２個のプラグインコネクタ１によるコネクタセットでは、各プラグインコネクタ１におけるピンプラグキー突起部１５とキー溝部２８のパターンを、図８（ａ）〜（ｄ）で示したパターン１からパターン４のうちから任意に２つ選択することができる。
【００６７】
また、コネクタセットにおけるピンプラグキー突起部１５とキー溝部２８の配置パターンの組み合わせも、図８で示したものに限られることはない。図９は、コネクタセットの他の実施形態に設けた、ピンプラグキー突起部１５とキー溝部２８の配置パターンの組み合わせを示すものである。
図９（ａ）に示すパターン１では、ピンプラグ１０のピンプラグキー突起部１５の数が２個、隣接突起部間角度が１８０°であり、レセプタクル２０のキー溝部２８の数が４個、隣接溝部間角度が、それぞれ７５°、１０５°、７５°、１０５°である。
【００６８】
図９（ｂ）に示すパターン２では、ピンプラグキー突起部１５の数が３個、隣接突起部間角度が１２０°であり、キー溝部２８の数が６個、隣接溝部間角度が、それぞれ７５°、４５°、７５°、４５°、７５°、４５°である。
【００６９】
図９（ｃ）に示すパターン３では、ピンプラグキー突起部１５の数が２個、隣接突起部間角度が９０°であり、キー溝部２８の数が４個、隣接溝部間角度が、それぞれ７５°、９０°、１０５°、９０°である。
【００７０】
図９（ｄ）に示すパターン４では、ピンプラグキー突起部１５の数が２個、隣接突起部間角度が６０°であり、キー溝部２８の数が４個、隣接溝部間角度が、それぞれ１０５°、６０°、１３５°、６０°である。
【００７１】
図９に示すパターン１から４でも、図８の例と同様、各パターンのプラグインコネクタ１において、レセプタクル２０の任意の複数のキー溝部２８が形成する位置パターンが、異なるパターンのプラグインコネクタ１におけるピンプラグ１０のピンプラグキー突起部１５の位置パターンと一致しないようにしてあり、さらに、常に少なくとも一つのピンプラグキー突起部１５がキー溝部２８から１５°以上ずれるようになっている。
【００７２】
この実施形態のコネクタセットにおいても、前記実施形態のものと同様の作用効果を奏することができる。
【００７３】
図１０は、コネクタセットの更に他の実施形態に設けた、ピンプラグキー突起部１５とキー溝部２８の配置パターンの組み合わせを示すものである。
図１０（ａ）に示すパターン１では、ピンプラグ１０のピンプラグキー突起部１５の数が２個、隣接突起部間角度が１８０°であり、レセプタクル２０のキー溝部２８の数が８個、隣接溝部間角度が、それぞれ４５°、３０°、７５°、３０°、４５°、３０°、７５°、３０°である。
【００７４】
図１０（ｂ）に示すパターン２では、ピンプラグキー突起部１５の数が３個、隣接突起部間角度が１２０°であり、キー溝部２８の数が６個、隣接溝部間角度が、それぞれ７５°、４５°、７５°、４５°、７５°、４５°である。
【００７５】
図１０（ｃ）に示すパターン３では、ピンプラグキー突起部１５の数が２個、隣接突起部間角度が９０°であり、キー溝部２８の数が６個、隣接溝部間角度が、それぞれ７０°、９０°、７０°、４０°、５０°、４０°である。
【００７６】
図１０（ｄ）に示すパターン４では、ピンプラグキー突起部１５の数が２個、隣接突起部間角度が６０°であり、キー溝部２８の数が６個、隣接溝部間角度が、それぞれ８０°、６０°、５０°、６０°、５０°、６０°である。
【００７７】
図１０に示すパターン１から４でも、図８、図９の例と同様、各パターンのプラグインコネクタ１において、レセプタクル２０の任意の複数のキー溝部２８が形成する位置パターンが、異なるパターンのプラグインコネクタ１におけるピンプラグ１０のピンプラグキー突起部１５の位置パターンと一致しないようにしてあり、さらに、常に少なくとも一つのピンプラグキー突起部１５がキー溝部２８から１０°以上ずれるようになっている。
【００７８】
この実施形態のコネクタセットにおいても、前記実施形態のものと同様の作用効果を奏することができる。
【００７９】
図１１は、コネクタセットの更に他の実施形態に設けた、ピンプラグキー突起部１５とキー溝部２８の配置パターンの組み合わせを示すものである。
図１１（ａ）に示すパターン１では、ピンプラグ１０のピンプラグキー突起部１５の数が２個、隣接突起部間角度が１８０°であり、レセプタクル２０のキー溝部２８の数が１０個、隣接溝部間角度が、それぞれ３７°、３３°、３０°、５０°、３０°、３７°、３３°、３０°、５０°、３０°である。
【００８０】
図１１（ｂ）に示すパターン２では、ピンプラグキー突起部１５の数が３個、隣接突起部間角度が１２０°であり、キー溝部２８の数が９個、隣接溝部間角度が、それぞれ４３°、３３°、４４°、４３°、３３°、４４°、４３°、３３°、４４°である。
【００８１】
図１１（ｃ）に示すパターン３では、ピンプラグキー突起部１５の数が２個、隣接突起部間角度が９０°であり、キー溝部２８の数が１０個、隣接溝部間角度が、それぞれ５０°、２８°、３９°、２３°、２８°、３９°、３０°、３３°、５７°、３３°である。
【００８２】
図１１（ｄ）に示すパターン４では、ピンプラグキー突起部１５の数が２個、隣接突起部間角度が６０°であり、キー溝部２８の数が８個、隣接溝部間角度が、それぞれ２８°、６０°、２８°、６０°、３６°、６０°、２８°、６０°である。
【００８３】
図１１に示すパターン１から４でも、図８から図１０の例と同様、各パターンのプラグインコネクタ１において、レセプタクル２０の任意の複数のキー溝部２８が形成する位置パターンが、異なるパターンのプラグインコネクタ１におけるピンプラグ１０のピンプラグキー突起部１５の位置パターンと一致しないようにしてある。
【００８４】
この実施形態のコネクタセットにおいても、前記実施形態のものと同様の作用効果を奏することができる。このように、プラグをソケットに挿入する際に複数の角度で挿入可能な構成を維持しつつ、誤挿入防止を可能にする目的に応じて、コネクタセットにおけるピンプラグキー突起部１５とキー溝部２８の配置パターンの組み合わせは適宜定めることができる。
【００８５】
以上、添付図面を参照しながら、本発明に係るコネクタ等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
例えば、各実施形態では、誤挿入防止のために、プラグであるピンプラグ１０に突起部を設け、ソケットであるレセプタクル２０やソケットプラグ３０に溝部を設けるものとして説明したが、その逆とすることも可能である。
また、各実施形態は、大電流用のプラグインコネクタを用いて説明したが、これに限ることはなく、別の種類のコネクタでも前述のピンプラグキー突起部１５やキー溝部２８の構成を適宜用いることが可能である。ピンプラグキー突起部１５やキー溝部２８の構成以外の各構成も、前述したものに限られることはなく、適宜変更することができる。
【符号の説明】
【００８６】
１、２………プラグインコネクタ
１０………ピンプラグ
１１………ピン
１４………ピンカバー本体
１５………ピンプラグキー突起部
２０………レセプタクル
２１、３１………ソケット
２７、３４………ソケットカバー本体
２８、３５………キー溝部
３０………ソケットプラグ
４０、５０………電線ケーブル
【図１】
0005515176.tif 000002
【図２】
0005515176.tif 000003
【図３】
0005515176.tif 000004
【図４】
0005515176.tif 000005
【図５】
0005515176.tif 000006
【図６】
0005515176.tif 000007
【図７】
0005515176.tif 000008
【図８】
0005515176.tif 000009
【図９】
0005515176.tif 000010
【図１０】
0005515176.tif 000011
【図１１】
0005515176.tif 000012